【誤訳訂正書】
【提出日】平成24年7月6日(2012.7.6)
【誤訳訂正１】
【訂正対象書類名】明細書
【訂正対象項目名】全文
【訂正方法】変更
【訂正の内容】
【発明の詳細な説明】
【発明の名称】ＧＰＳに基づいたＦＭ帯域利用可能性
【技術分野】
【０００１】
その発明は無線通信に関する。特に、その発明はＦＭ受信機と無線信号をインタフェースで接続することに関する。
【背景技術】
【０００２】
電子機器は、ユーザが選択しうる多数の出力能力(output capabilities)を含みうる。例えば、電子機器は、ディスプレイによる視覚的な出力、スピーカによるオーディオ出力、無線出力、あるいはそれらのある組合せを提供しうる。電子機器は、テレビ搬送波で視覚的な出力を変調するか、周波数変調（ＦＭ）ラジオ搬送波のようなラジオ搬送波でオーディオ出力を変調することにより無線出力を提供しうる。
【０００３】
典型的には、電子機器は出力ＲＦ帯域を監視しないが、固定された選択のセットから望ましい出力帯域を選ぶことをユーザに依存する。例えば、電子機器は、ＮＴＳＣテレビチャンネル３または４のうちの１つでＲＦ映像出力を許可しうる。ユーザは、望ましいテレビ用の電子デバイスを構成することができ、そして、変調された映像信号を受信するために、対応するチャネルにローカルテレビ放送を合わせることができる。
【０００４】
同様に、電子機器は、１つあるいは２つの所定のＦＭチャネルでのＲＦオーディオ出力を許可しうる。ユーザは望ましいＦＭチャネルを選択することができ、また、電子機器は、選択されたＦＭチャネルの搬送波でオーディオ信号を変調することができる。ユーザは、変調されたオーディオを受信するために、対応する周波数にローカルラジオ受信機(local radio receiver)を合わせることができる。
【０００５】
しかしながら、既存の放送局(broadcasters)は、望ましい出力帯域を既に使用している可能性がある。ＮＴＳＣビデオの場合には、既存のローカル放送局が、チャネル２および３の一方または両方で既に放送している可能性がある。同様に、既存のローカルＦＭラジオ放送局は、既にラジオ出力周波数の固定された選択で放送している可能性がある。既存の放送局は、電子機器に対しては干渉源として現われ、また、その存在は、電子デバイスからの信号品質を著しく劣化させうる。ユーザは、既存の放送局が固定されたＲＦ出力選択の全てのためのスペクトルを占める状況において電子デバイスからのＲＦ変調された出力信号をうまく構成する能力を有さない可能性がある。
【０００６】
携帯電子デバイスにＲＦ出力能力を組み入れることは、追加的な問題をもたらす(pose)。携帯電子デバイスの移動性は、動作環境をさらに複雑にし、そして、選択されたＲＦ出力周波数によって放送局が干渉信号を送信する確率を増加させる。携帯電子デバイスは、最初は放送エリアの外側にありうるが、放送エリアへと移動しうる。したがって、選択されたＲＦ出力周波数は、最初は十分な信号品質を提供しうるが、その信号品質は、選択されたＲＦ出力周波数上に放送局を有するエリアへ携帯電子デバイスが移動するとともに、容認できないレベルに劣化しうる。
【発明の概要】
【０００７】
無線デバイスからのＦＭ変調された出力信号とインタフェースするための利用可能な(available)ＦＭ周波数チャネルを判定する方法と装置がここに記述される。ＧＰＳ受信機のようなＳＰＳ受信機は、従来の技術に基づいて、その位置を判定することができる。ＳＰＳ受信機は、オーディオ出力が送信されうる１つ以上の利用可能なＦＭチャネルを判定することができる。ＳＰＳ受信機は、判定された位置を使用して、利用可能なチャネルのローカルデータベースにアクセスすることができる。あるいは、ＳＰＳ受信機は、判定された位置を使用して、１つ以上の利用可能なチャネルを判定するために、割り付けられたチャネルのローカルデータベースにアクセスすることができる。ＳＰＳ受信機は、出力オーディオが変調されるＦＭチャネルを示すプロンプトかメッセージを表示しうる。
【０００８】
本発明の態様は、出力周波数を判定する方法を含む。その方法は、モバイル受信機の地理的ロケーションを判定することと、地理的ロケーションに基づいて少なくとも１つの候補(candidate)周波数を判定するためにデータベースにアクセスすることと、少なくとも１つの候補周波数から選択された望ましい周波数で変調された情報を提供することと含む。
【０００９】
本発明の態様は、出力周波数を判定する方法を含む。その方法は、地理的な宛先に関する情報を受信することと、受信された全地球測位システム(GPS)衛星ビヒクル信号に少なくとも部分的に基づいてパーソナルナビゲーションデバイスの地理的ロケーションを判定することと、地理的ロケーションから地理的な宛先への経路を判定することと、地理的ロケーションに基づいて少なくとも１つの候補ラジオ周波数を判定することと、少なくとも１つの候補ラジオ周波数に基づいて出力ＲＦ周波数のユーザ選択を受信することと、地理的ロケーションおよび経路に基づいてオーディオ信号を生成することと、オーディオ信号を出力ＲＦ周波数へ周波数変調して、周波数変調された出力ＲＦ周波数を生成することと、周波数変調された出力ＲＦ周波数を出力することとを含む。
【００１０】
本発明の態様は、少なくとも１つの利用可能な出力ＲＦ周波数を自動的に判定するように構成される装置を含む。その装置は、複数の衛星測位信号を受信し、その装置の地理的ロケーションを判定するように構成される衛星測位受信機と、地理的エリアに出力周波数を関連づける情報を格納するように構成される放送(broadcast)データベースと、放送データベースにアクセスし、地理的ロケーションに基づいて少なくとも１つの候補周波数を判定するように構成されるプロセッサと、少なくとも１つの候補周波数から選択された出力周波数で情報信号を変調し、変調された出力周波数を生成するように構成される変調器と、変調された出力周波数を送信するように構成される送信機とを含む。
【００１１】
本発明の態様は、少なくとも１つの利用可能な出力ＲＦ周波数を自動的に判定するように構成される装置を含む。その装置は、地理的な宛先に関する情報を受信する手段と、受信された全地球測位システム（ＧＰＳ）衛星ビヒクル信号に少なくとも部分的に基づいてパーソナルナビゲーションデバイスの地理的ロケーションを判定する手段と、地理的ロケーションから地理的な宛先への経路を判定する手段と、地理的ロケーションに基づいて少なくとも１つの候補ラジオ周波数を判定する手段と、少なくとも１つの候補ラジオ周波数に基づいて出力ＲＦ周波数のユーザ選択を受信する手段と、地理的ロケーションおよび経路に基づいてオーディオ信号を生成する手段と、オーディオ信号を出力周ＲＦ波数で周波数変調して、周波数変調された出力ＲＦ周波数を生成する手段と、周波数変調された出力ＲＦ周波数を出力する手段とを含む。
【００１２】
本発明の態様は、地理的な宛先に関する情報を受信することと、受信された全地球測位システム（ＧＰＳ）衛星ビヒクル信号に少なくとも部分的に基づいてパーソナルナビゲーションデバイスの地理的ロケーションを判定することと、地理的ロケーションから地理的な宛先への経路を判定することと、地理的ロケーションに基づいて少なくとも１つの候補ラジオ周波数を判定することと、少なくとも１つの候補ラジオ周波数に基づいて出力ＲＦ周波数のユーザ選択を受信することと、地理的ロケーションおよび経路に基づいてオーディオ信号を生成することと、オーディオ信号を出力ＲＦ周波数で周波数変調して、周波数変調された出力ＲＦ周波数を生成するために変調器を制御することと、周波数変調された出力ＲＦ周波数を出力するように構成される送信機を制御することとを実行するためのコンピュータ実行可能命令でコード化されたコンピュータ読取可能な媒体を含む。
【図面の簡単な説明】
【００１３】
本開示の実施形態の特徴、対象および利点は、図に関連して取り上げられるとき、以下の詳細な説明からより明白になるだろう。なお、図において、類似のエレメントは類似の参照数字を有している。
【図１】図１は、ＳＰＳ受信機環境の単純化された機能ブロック図である。
【図２】図２は、ＲＦ変調された出力をサポートするＳＰＳ受信機の実施形態の単純化された機能ブロック図である。
【図３】図３は、位置に基づいてＦＭチャネル利用可能性を自動的に判定する実施形態の単純化された機能フローチャートである。
【発明を実施するための形態】
【００１４】
パーソナルナビゲーションデバイスは、使用の間に広い地理的ロケーションを横切る(traverse)と予想することができる自然(nature)ポータブルデバイスによる。ポータブルナビゲーションデバイスは、ＦＭ送信機を経由してデバイスからＦＭ受信機にオーディオを出力するオプションをサポートしうる。ＦＭ受信機は例えばＦＭカーステレオでありうる。ユーザは、例えば、移動の間にナビゲーション支援を提供するためにパーソナルナビゲーションデバイスからのオーディオ出力を使用しうる。
【００１５】
ＦＭステレオで行なう(play)オーディオ出力に関して、ユーザは、パーソナルナビゲーションデバイスにサポートされる１つ以上の異なる周波数にＦＭステレオを合わせて、どの周波数帯域あるいはチャネルが利用可能かを判定する。判定が終わると、ユーザは、パーソナルナビゲーションデバイス上のＦＭ送信機周波数を望ましい周波数に設定する。
【００１６】
上記のアプローチに関する１つの問題は、周波数選択が手動であり、誤りを起こしやすいということである。ユーザは、別の周波数を選択していた場合に利用可能となっていただろう信号品質を提供しない周波数を、望ましい周波数として誤って選択しうる。さらに、上に注記されるように、（フリーの周波数および占有された周波数を含む）ＦＭ周波数割り当ては、あるロケーションから別のロケーションへと変わりうるので、オーディオ出力は、ユーザがある地理的ロケーションから別のロケーションへ運転しているか、そうでなければ移動している間、劣化しうる。
【００１７】
ＦＭ帯域におけるＲＦ出力リンクの確立および維持に関連した問題のうちのいくつかを緩和するために、パーソナルナビゲーションデバイスは、ナビゲーションデバイスにおいて可能にされた位置特定技術(position location techniques)を使用することで、そのロケーションを判定し、かつ、１つ以上の候補ＦＭ周波数を判定するように構成されうる。１つ以上の候補周波数はロケーションに部分的に基づいて判定されうる、また、ロケーションに関連した、割り付けられたあるいはフリーのＦＭ帯域のデータベースに部分的に基づくことができる。
【００１８】
パーソナルナビゲーションデバイスは、オーディオを出力するために選択されうる１つ以上の利用可能なＦＭ帯域を自動的に判定する。自動化された(automated)出力帯域検波特性は、ユーザが利用可能な周波数帯域を走査する必要を除去する。ＦＭデータベースおよびロケーション情報を使用して、パーソナルナビゲーションデバイスは、その現在のロケーションと、そのロケーションに対応する利用可能な帯域とを見失わないようにすることができる。パーソナルナビゲーションデバイスは、ロケーションを更新するように構成されることができ、更新されたロケーションを利用して、より優れたＦＭ周波数がいつ利用可能であるかを判定することができる。パーソナルナビゲーションデバイスは、ＦＭ受信機周波数を新しい帯域に合わせるようにプロンプトを表示してユーザに指示する(prompt)ことができる。ユーザは、デバイス上のディスプレイおよび／またはオーディオアラート(audio alert)によって、あるいはＦＭラジオを介して、プロンプトを表示して指示されることができる。
【００１９】
図１は、受信機環境１００の単純化された機能ブロック図である。受信機環境１００は、ＲＦ出力能力を有する衛星測位システム（ＳＰＳ）受信機１１０を例証する。ＳＰＳ受信機１１０は、複数の衛星ビヒクル(vehicle)１３０−１から１３０−Ｎまでから受信した信号に基づいて、その地理的ロケーションを判定するように構成されることができる。２つの衛星ビヒクル１３０−１および１３０ｎだけが図１に示されるが、ＳＰＳ受信機１１０は、明白な位置決定(fix)を行うために典型的には４つの衛星ビヒクルからの信号を要求する。
【００２０】
ＳＰＳ受信機１１０は、例えば全地球測位システム（ＧＰＳ）受信機でありえ、GLONASS、ガリレオなどを含むがこれに限定されないその他何らかのタイプの衛星測位システムからの衛星測位信号を利用するように構成されることができる。さらに、ＳＰＳ受信機１１０は、衛星信号に排他的に基づいて位置決定を判定することに限定されてはおらず、１つ以上の地球上のビーコン１５０からの測位信号を利用することもありうる。地球上のビーコン１５０は、例えば微分の(differential)ＧＰＳビーコン、セードライト(pseudolite)、無線電話基地局などでありえる。
【００２１】
ＳＰＳ受信機１１０は、出力情報で変調されるＲＦ出力信号を送信するように構成されることができる。例えば、ＲＦ出力信号は、ディスプレイ情報と、オーディオ情報と、測位データと、それらと同様のものあるいはそれらのある組合せなどで変調されうる。ＳＰＳ受信機１１０は、共通の通信規格によってサポートされた変調スキームおよび搬送周波数を使用してＲＦ出力信号を生成するように構成されることができる。ＳＰＳ受信機１１０からのＲＦ出力は、許可された無線通信帯域内にあることができ、ここでは、放送局のうちの大多数が許可されるか、そうでなければ知られている、また、許可されていない送信機からのエミッションは、変調されたＲＦ出力に干渉する可能性が低い。
【００２２】
例えば、ＳＰＳ受信機１１０は、88MHz-108MHzの許可されたＦＭラジオ帯域内の搬送波でオーディオ出力信号をＦＭ変調するように構成されることができる。別の実施形態では、ＳＰＳ受信機１１０は、映像搬送波で映像ディスプレイ情報を変調するように構成されることができる。例えば、ＳＰＳ受信機１１０は、ＮＴＳＣテレビ搬送周波数でディスプレイ情報を映像信号として残留側波帯(Vestigial Sideband)変調するように構成されることができる。
【００２３】
ＳＰＳ受信機１１０からの変調されたＲＦ出力信号は、処理および出力のために無線受信機１２０によって受信されることができる。例えば、ＦＭ変調されたオーディオ信号はＦＭ受信機によって受信されることができ、それはカーステレオか携帯型ラジオでありえる。
【００２４】
ＳＰＳ受信機１１０がパーソナルナビゲーションデバイスとして構成され、また、ユーザを宛先へナビゲーションする際にユーザを支援するように構成される状況で、無線出力リンクは特に有利になりえる。一例において、ＳＰＳ受信機１１０は、ユーザによる所定の宛先入力に基づいてターン毎に運転方向(driving directions)を出力するように構成されることができる。ユーザは、ＦＭ帯域内でオーディオを出力するようにＳＰＳ受信機１１０を構成することができ、変調されたオーディオ出力を受信するように自動車中のＦＭ受信機を合わせることができる。ＳＰＳ受信機１１０からのオーディオ出力はＦＭ受信機によって回復されることができ、そして、カーオーディオシステムから出力されることができる。
【００２５】
ＳＰＳ受信機１１０は、許可された帯域内の搬送波の固定された選択を伴うＳＰＳ受信機１１０をあらかじめ構成すること、あるいは利用可能な帯域のためのユーザ探索を行い、選択された帯域をＳＰＳ受信機１１０へプログラムすることの代わりに、許可された帯域の利用可能な帯域を自動的に判定するように構成されることができる。許可された帯域としてのＦＭラジオ帯域の例では、ＳＰＳ受信機１１０は、ＳＰＳ受信機１１０の地理的ロケーションと、地理的ロケーションに関連した利用可能なまたは割り付けられた周波数のデータベースとに少なくとも部分的に基づいて、１つ以上の利用可能なＦＭ帯域のセットを判定することができる。ＳＰＳ受信機１１０は、利用可能な出力周波数のセットを表示することができ、かつ、順位付けされた順(ranked order)に利用可能な出力周波数のセットを表示するように構成されることができる。ユーザは、利用可能な出力周波数のセットからの利用可能な出力周波数のうちの１つを選ぶことができ、また、ＳＰＳ受信機１１０は、選択された周波数のためのＲＦ出力を構成することができる。ユーザは、出力信号を受信する目的で選択された周波数と同じ周波数に無線受信機１２０を合わせることができる。
【００２６】
図２は、ＲＦ変調された出力をサポートするＳＰＳ受信機１１０の実施形態の単純化された機能ブロック図である。ＳＰＳ受信機１１０は、ＧＰＳ受信機のコンテキスト(context)で記述されるが、ＳＰＳ受信機１１０はＧＰＳ信号を処理することに限定されない。
【００２７】
ＳＰＳ受信機１１０は、例えば、図１の受信機環境において示されるＳＰＳ受信機でありうる。ＳＰＳ受信機１１０は、ＳＰＳ受信機１１０の地理的ロケーションに少なくとも部分的に基づいて１つ以上の利用可能な出力ＲＦ周波数を自動的に判定するように構成されることができる。
【００２８】
ＳＰＳ受信機１１０は、メモリ２２２に連結されたプロセッサ２２０と共に動作するように構成されるＧＰＳ受信機２１０に連結されたＳＰＳアンテナ２０２を含む。ＧＰＳ受信機２１０は、複数のＧＰＳ衛星ビヒクル信号を受信し、ＳＰＳ受信機１１０の位置決定か地理的ロケーションを判定するように構成されることができる。典型的には、ＧＰＳ受信機２１０は、明白な位置決定を行うために４つの衛星ビヒクルからの信号を要求する。ＧＰＳ受信機が位置決定を判定することができる方法はよく知られている。一般に、ＧＰＳ受信機２１０は、衛星ヒビクルのそれぞれからＰＮコード化信号を受信し、また、エフェメリス(ephemeris)データによって修正される衛星位置情報のアルマナックに基づいて各衛星への擬似距離を判定する。３つの別個の衛星ビヒクルへの擬似距離は、三次元位置決定を行うのに一般的に十分であり、その精度はタイミングまたはクロックの不確定性に影響される。第４の衛星ビヒクルへの擬似距離は、クロックの不確定性を解決するかそうでなければ改良するために使用されることができる。
【００２９】
ＳＰＳ受信機１１０は、例えば、ユーザ入力宛先へのガイドされた運転方向を可能にするパーソナルナビゲーションデバイスとして構成されることができる。ＳＰＳ受信機１１０は、ユーザ入力を受け取るように構成されるユーザインタフェース２４０を含むことができる。ユーザインタフェース２４０は、ボタン、キーパッド、スクロールホイール、タッチパッド、音声認識モジュール、電気的ポートなど、あるいはそれらのある組合せを含むことができる。いくつかの実施形態では、ユーザインタフェース２４０はディスプレイ２４２のような出力デバイスに統合される。
【００３０】
ディスプレイ２４２は、ガイドされる方向の図的表現あるいはエリアの地図を出力するように構成されることができ、命令、プロンプトあるいはメニューのような、その他のユーザ情報を出力するように構成されることができる。いくつかの実施(implementation)では、ディスプレイ２４２は、タッチスクリーンになりえる、さらに、ユーザインタフェース２４０の一部としての機能を果たすことができる。
【００３１】
ＳＰＳ受信機１１０は、例えば、１つ以上の記憶デバイスに格納された地図情報として構成されることができる地図データベース２３０をさらに含むことができる。ユーザは、例えば、ユーザインタフェース２４０の一部である電子ポート(electronic port)を介して更新されたデータベース情報をダウンロードすることにより、地図データベース２３０を更新することができる。
【００３２】
プロセッサ２２０は、ユーザインタフェース２４０によって提供されるユーザ宛先を受信し、ＧＰＳ受信機２１０からのＳＰＳ受信機１１０の地理的ロケーションを判定することができ、また、現在の地理的ロケーションからユーザ宛先への経路を判定するために地図データベース２３０にアクセスすることができる。プロセッサ２２０は、ＧＰＳ受信機２１０からの位置更新(position updates)に基づいて経路を更新することができる。
【００３３】
プロセッサ２２０は、ユーザに宛先への視覚的ガイド(visual guide)を提供するためにディスプレイ２４２上に地図および経路情報を出力することができる。さらに、ＳＰＳ受信機２６０は、合成された音声出力のようなオーディオ出力を提供するように構成されることができる、オーディオシンセサイザ２６０を含むことができる。オーディオシンセサイザ２６０からのオーディオ出力は、ディスプレイ２４２上の視覚的情報出力を増大する(augment)オーディオナビゲーション情報を含むことができる。
【００３４】
ＳＰＳ受信機１１０は、オーディオシンセサイザ２６０に連結され、オーディオ出力を受信するように構成される周波数プログラマブル(programmable)ＦＭ変調器２７０をさらに含むことができる。周波数プログラマブルＦＭ変調器２７０は、88MHz-108MHzの許可されたＦＭ帯域内で動作するようにプログラムされることができる。１つの実施形態では、周波数プログラマブルＦＭ変調器２７０は、ＦＭ帯域内の任意の動作周波数にプログラムされることができる。周波数プログラマブルＦＭ変調器２７０の搬送周波数は、ＦＭ帯域における周波数間隔と整列させるために、100kHzのプログラマブルな分解能を持つように構成されることができる。
【００３５】
周波数プログラマブルＦＭ変調器２７０は、プログラムされた(programmed)搬送周波数でオーディオ出力を変調し、変調された搬送周波数をＦＭ送信機２７２に出力する。ＦＭ送信機２７２は信号を増幅し、ＲＦアンテナ２７４と連動して信号を送信する。あるいは、ＦＭ送信機２７２は、カーステレオのようなユーザオーディオデバイスのアンテナ入力に信号を連結させることができる、有線(wired)アンテナポートに信号を連結させることができる。理想的には、プログラマブルＦＭ変調器２７０は、プログラムされた搬送波上の許可された放送局、隣接チャネル上の放送局、あるいは他の干渉源からのような、干渉信号を本質的に欠いている搬送周波数で動作するようにプログラムされる。
【００３６】
ＳＰＳ受信機１１０は、オーディオ出力が変調される低い干渉ＲＦ搬送波のユーザ選択を促進するためのインテリジェント支援(intelligent assistance)を含む。ＳＰＳ受信機１１０はＦＭ放送データベース(FM broadcast database)２５０を含むことができる。ＦＭ放送データベースは、ＦＭ帯域内のすべての許可された放送局の周波数割り付けを含むことができ、また、許可された放送局を地理的エリアへ関連づけることができる。ＦＭ放送データベースは、製造者(manufacturer)によって最初にロードされることができ、地図データベースを更新することに類似したやり方で更新されたデータベースをダウンロードすることにより更新されうる。ＳＰＳ受信機１１０は、ＧＰＳ受信機２１０によって提供される現在の地理的ロケーションを利用して、１つ以上の候補周波数のリストを判定することができる。
【００３７】
１つの実施形態では、ＳＰＳ受信機１１０は、ＧＰＳ受信機２１０によって判定された直前の地理的ロケーションを、そのロケーションを包含するカバレッジエリア内の許可された放送局のリストと比較する。ＳＰＳ受信機１１０は、放送局が地理的エリアにおいて割り付けられていないＲＦ搬送波を選択することができる。
【００３８】
ＳＰＳ受信機１１０は更に、１つ以上のパラメータまたはフィルタリング判定基準に基づいて、ＲＦ搬送波を限定あるいは順位付けする(rank)ことができる。フィルタリング判定基準は、例えば、許可された放送局とＲＦ搬送波のスペクトルとの近接性と、ＧＰＳ受信機２１０からの地理的ロケーションと許可された放送局の送信機ロケーションとの物理的近接性と、例えばより低い帯域周波数あるいはより高い帯域周波数への優先といった、所定の周波数優先(preference)と、それらと同様のものあるいはそれらの組合せを含むことができる。
【００３９】
ＳＰＳ受信機１１０はまた、さらなるフィルタリング判定基準として、ユーザ入力宛先あるいは宛先に沿った１つ以上のポイントを利用することができる。すなわち、ＳＰＳ受信機１１０は、ユーザ宛先への予期される経路に沿った１つ以上のポイントに関して、ＲＦ搬送波の選択されたリストの好ましさ(desirability)を除去するべきかそうでなければ縮小するべきであるかを判定することができる。
【００４０】
ＳＰＳ受信機１１０は、ユーザへのディスプレイのために所定の数の候補周波数を選択するように構成されることができる。例えば、ＳＰＳ受信機１１０は、フィルタリング測定基準の適用に続いて、最も高い順位をもつ２つの周波数を選択しうる。ＳＰＳ受信機１１０は、例えば、ユーザ選択のためのプロンプトと共に候補周波数を表示することができる。
【００４１】
ＳＰＳ受信機１１０はユーザインタフェース２４０によってユーザ選択を受け取ることができる。ＳＰＳ受信機１１０は、選択された周波数へＦＭ変調器２７０の周波数をプログラムする。
【００４２】
代替の実施形態では、ＦＭ放送データベース２５０は、利用可能な周波数のリストおよびそれらに関連する利用可能性エリアを格納するように構成されることができる。ＳＰＳ受信機１１０は、ＧＰＳ受信機２１０から、その地理的ロケーションを判定することができ、そして、地理的エリアを包含する利用可能なＲＦ周波数のリストを判定するためにＦＭ放送データベース２５０にアクセスすることができる。ＳＰＳ受信機１１０は、前の実施形態に記述された判定基準と同じまたは似ている判定基準を使用して、同様に結果を順位付けするまたはフィルタすることができる。ＳＰＳ受信機１１０は、順位付けされた結果を表示し、前の実施形態のように、ユーザ選択を受け取ることができる。
【００４３】
いくつかの例(instances)では、選択された周波数は、現在のロケーションからユーザ宛先への経路全体に対して十分なオーディオ信号品質をサポートしない可能性がある。例えば、ＳＰＳ受信機１１０が、選択されたＦＭ周波数上に許可された放送局を有するエリアへ移動することによって、信号品質における劣化が生じる場合がある。単一の周波数が経路全体をサポートできないことは、任意の数の理由に起因しうる。例えば、移動された(traveled)経路は著しい距離を横切っている可能性があり、経路全体に対して単一の割り当てられていない周波数を選択することを不可能にしうる。ユーザは、最初に計画された経路からそれうる。ＳＰＳ受信機１１０は、周波数を判定する際に、提案された経路を考慮に入れない可能性がある、あるいは、ユーザは、経路全体に対して利用可能なわけではない周波数を選択しうる。
【００４４】
理由にかかわらず、現在アクティブなＦＭ搬送波は、高いオーディオ信号品質をサポートすることができない場合がありうる。そのような例では、ＳＰＳ受信機１１０は、候補周波数のリストを判定し直し、更新された選択を行うようにプロンプトを表示してユーザに指示することができる。
【００４５】
１つの実施形態では、ＳＰＳ受信機１１０は、候補周波数のリストが更新されることを要求するユーザ入力を受信しうる。別の実施形態では、ＳＰＳ受信機１１０は、自動化された(automated)パラメータに基づいて利用可能な周波数のリストを自動的に更新するように構成されることができる。例えば、ＳＰＳ受信機１１０は、ＧＰＳ受信機２１０が更新された地理的ロケーションを提供するたびに、または更新された地理的ロケーションから判定された要因に基づいて、利用可能な周波数のリストを更新することができる。あるいは、ＳＰＳ受信機１１０は、地理的ロケーションの変更がある所定のしきい値を越えたときに、利用可能な周波数のリストを更新することができる。一般に、ＳＰＳ受信機１１０は、時間の経過、イベントの発生、あるいはそれらのある組合せに基づいて利用可能な周波数のリストを更新することができる。
【００４６】
ＳＰＳ受信機１１０は、候補周波数のリストが現在アクティブな周波数選択を含むことをしないたびに、更新された搬送周波数選択を行うようにプロンプトを表示してユーザに指示する必要はない。代わりに、ＳＰＳ受信機１１０は、異なる搬送周波数によってサポートされることができたであろうオーディオ信号品質よりも劣化した信号品質を現在アクティブな周波数選択が提供すると暗に(impliedly)判定しうる。ＳＰＳ受信機１１０は、候補周波数の更新されたリストを表示して、更新された選択を入力するようにプロンプトを表示してユーザに指示するべきかどうかを判定する際に、任意の数の要因を使用することができる。例えば、ＳＰＳ受信機１１０は、現在アクティブな周波数選択がＳＰＳ受信機１１０の地理的ロケーションを包含するリージョン内の放送局に割り付けられると判定しない限り、更新された候補周波数を表示しない可能性がある。あるいは、現在アクティブな周波数の順位が、ある所定の量だけ候補周波数の順位を下まわる場合、ＳＰＳ受信機１１０は更新された候補周波数を表示しうる。ＳＰＳ受信機１１０は、更新された候補周波数を表示して、更新された選択を入力するようにプロンプトを表示してユーザに指示するべきかどうかを判定する際に、その他の要因あるいは要因の組合せを使用しうる。
【００４７】
ＳＰＳ受信機１１０は、オーディオ出力のための搬送周波数を選択または更新する際にユーザにインテリジェント支援を提供することができる。ユーザは、適切な出力周波数のために手動でＦＭ帯域を探索して、ＳＰＳ受信機１１０へ周波数をプログラムするというわずらわしい(cumbersome)ルーチンから解放される。ユーザはまた、限定された１又は２つの固定された出力周波数選択を有する限定的な実施(implementation)から解放される。
【００４８】
図３は、位置に基づいてＦＭチャネル利用可能性を自動的に判定する方法３００の実施形態の単純化された機能フローチャートである。方法３００は、例えば、図１の環境において動作するパーソナルナビゲーションデバイスのようなＳＰＳ受信機において実現されることができる。例えば、その方法は、メモリのような、コンピュータあるいはプロセッサ読取可能な記憶媒体でコード化されたコンピュータまたはプロセッサ実行可能命令として具体化されることができる。
【００４９】
方法３００は、ＧＰＳを使用して、88MHz-108MHzの許可されたＦＭ帯域におけるＲＦリンクを判定する位置特定(position location)のコンテキストにおいて記述される。一般に、位置判定は、ＧＰＳ位置決定に限定されず、ＦＭ帯域に限定される出力ＲＦリンクでもない。
【００５０】
方法３００はブロック３１０で開始し、そこでは、パーソナルナビゲーションデバイスは複数のＧＰＳ衛星ビヒクルからＧＰＳ信号を受信する。パーソナルナビゲーションデバイスはブロック３１２に進み、ＧＰＳ信号に基づいてパーソナルナビゲーションデバイスの地理的ロケーションを判定する。
【００５１】
パーソナルナビゲーションデバイスは判定ブロック３２０に進み、ＲＦ搬送波で変調されたオーディオ出力ＦＭのようなＲＦ出力が、ユーザによって選択されるか、そうでなければ可能にされるかどうかを判定する。そうではない場合、パーソナルナビゲーションデバイスは、ブロック３９０に進み、ここで、それはオーディオを生成する。パーソナルナビゲーションデバイスはブロック３９０からブロック３９２に進み、例えばスピーカを使用して、オーディオを出力する。パーソナルナビゲーションデバイスは３１０に戻り、位置決定を更新する。
【００５２】
判定ブロック３２０で、パーソナルナビゲーションデバイスが、ＲＦ出力が可能にされたと判定した場合、パーソナルナビゲーションデバイスは判定ブロック３２２に進む。判定ブロック３２２では、パーソナルナビゲーションデバイスは、ＲＦ周波数の初期設定が以前に完了したかどうか判定する。そうである場合、パーソナルナビゲーションデバイスは判定ブロック３２４に進み、候補ＲＦ周波数の更新が望まれているかどうか判定する。判定ブロック３２２で、パーソナルナビゲーションデバイスが、初期設定がまだ行なわれていないと判定する場合、パーソナルナビゲーションデバイスはブロック３３０に進み、候補周波数を識別するプロセスを開始する。同様に、判定ブロック３２４で、候補周波数を更新するためのパラメータが満たされたとパーソナルナビゲーションデバイスが判定した場合、パーソナルナビゲーションデバイスはブロック３３０に進む。
【００５３】
判定ブロック３２４で、候補周波数を更新するためのパラメータが満たされないとパーソナルナビゲーションデバイスが判定した場合、候補周波数の処理を行なう必要はない。パーソナルナビゲーションデバイスは候補周波数の処理を回避して、ブロック３７０に移る。
【００５４】
ブロック３３０では、パーソナルナビゲーションデバイスは、パーソナルナビゲーションデバイスの地理的ロケーションに少なくとも部分的に基づいて候補ＦＭ周波数のリストを判定する。１つの実施形態では、パーソナルナビゲーションデバイスは、許可されたＦＭ帯域放送局の周波数を識別する、放送局を地理的エリアへ関連づける割り付けられた周波数のデータベースを調査する。パーソナルナビゲーションデバイスは、パーソナルナビゲーションデバイスの現在の地理的ロケーションが、ＧＰＳ受信機によって判定されるように、放送局の地理的エリア内に位置するかどうか判定する。その後、パーソナルナビゲーションデバイスは、どの周波数が割り当てられていない、あるいはそうでなければ現在の著しい干渉に対して十分な信号強度をもつ放送局を有している可能性が低いのかを判定することができる。パーソナルナビゲーションデバイスは、多くの判定基準に基づいて候補周波数のリストを順位付けすることができる。
【００５５】
パーソナルナビゲーションデバイスは判定ブロック３４０に進み、候補周波数を表示するための要因が満たされているかどうか判定する。例えば、候補周波数のリストを更新するための判定基準は、所定のしきい値よりも大きな地理的ロケーションにおける変更を含みうる。しかしながら、パーソナルナビゲーションデバイスが所定の更新距離よりも大きく移動したとしても、ＲＦ出力のために使用されるアクティブな周波数を更新する必要はない可能性がある。判定ブロック３４０では、パーソナルナビゲーションデバイスは、候補周波数の更新されたリストが現在アクティブなＲＦ周波数より優れている可能性があるかどうか判定する。パーソナルナビゲーションデバイスは、例えば、許可された放送局が現在アクティブなＲＦ周波数に割り当てられ、許可された放送局が著しい干渉に寄与している可能性があると判定する場合、候補周波数の更新されたリストが現在アクティブなＲＦ周波数より優れている可能性があると判定することができる。あるいは、パーソナルナビゲーションデバイスは、現在アクティブなＲＦ周波数の順位が候補リスト中の他の周波数に関するある所定の順位しきい値未満である場合、現在アクティブなＲＦ周波数が劣化したと判定することができる。
【００５６】
候補周波数の更新されたリストが現在アクティブなＲＦ周波数よりも優れている可能性が低いとパーソナルナビゲーションデバイスが判定する場合、パーソナルナビゲーションデバイスはブロック３７０に進み、更新された選択を入力するようにプロンプトを表示してユーザに指示することを省略する。しかしながら、候補周波数の更新されたリストが現在アクティブなＲＦ周波数よりも優れている可能性があるとパーソナルナビゲーションデバイスが判定する場合、パーソナルナビゲーションデバイスはブロック３５０に進み、候補周波数のリストあるいは所定の数の候補周波数を表示する。
【００５７】
パーソナルナビゲーションデバイスはブロック３５２に進み、例えば、キーパッドまたはボタンのようなユーザインタフェースからユーザ選択を受け取る。ユーザ選択は、表示された候補周波数のうちの１つを含みうる、あるいは現在アクティブなＲＦ周波数の再選択でありうる。現在アクティブなＲＦ周波数の再選択は明白であるか、あるいは暗示され(implied)うる。暗示された再選択は、例えば、候補周波数の表示に続くタイムアウトに基づいて判定されることができる。
【００５８】
パーソナルナビゲーションデバイスはブロック３６０に進み、選択された周波数のためにＦＭ変調器を構成するか、そうでなければ設定する。１つの実施形態では、パーソナルナビゲーションデバイスは、選択された周波数に基づく周波数に周波数シンセサイザ(frequency synthesizer)を合わせる。
【００５９】
パーソナルナビゲーションデバイスはブロック３７０に進み、オーディオ出力を生成する。パーソナルナビゲーションデバイスはブロック３７２に進み、選択された周波数でオーディオを変調する。１つの実施形態では、パーソナルナビゲーションデバイスは、選択された周波数でオーディオ信号を周波数変調することができる。
【００６０】
パーソナルナビゲーションデバイスはブロック３８０に進み、例えば、変調された信号を増幅し、受信機への送信用のアンテナあるいはアンテナポートに信号を連結することにより、ＦＭ変調された信号を無線で送信する。パーソナルナビゲーションデバイスは、次の位置更新の処理を開始するためにブロック３１０に進む。
【００６１】
変化する干渉源をもつ帯域内の利用可能なＲＦ出力周波数の自動化された判定と、プロンプトを表示してそれを入力するように指示することとに関する方法および装置が本明細書に記述されている。パーソナルナビゲーションデバイスのようなＳＰＳ受信機は、受信機の地理的ロケーションに少なくとも部分的に基づいて所定の動作帯域内の１つ以上の候補周波数を判定することができる。受信機は、ＲＦ出力のために候補周波数のうちの１つを選ぶようにプロンプトを表示してユーザに指示することができる。ＳＰＳ受信機は、受信機の地理的ロケーションが変化すると共に、候補周波数のリストを自動的に更新することができる。
【００６２】
本明細書において使用されているように、「連結」（coupled）または「接続」（connected）という用語は、直接的連結または接続のみならず間接的連結をも意味するものとして使われている。２つまたはそれ以上のブロック、モジュール、デバイスまたは装置が連結される場合、その２つの連結ブロックの間に１つまたはそれ以上の介在ブロックがあってもよい。
【００６３】
本明細書において開示された実施形態に関連して説明された様々な例示的な論理ブロック、モジュール、および回路は、汎用目的プロセッサ、デジタル信号プロセッサ(DSP)、簡略化命令コンピュータ(RISC)プロセッサ、特定用途向けIC(ASIC)、フィールドプログラマブルゲートアレイ(FPGA)または他のプログラマブル論理デバイス、ディスクリートゲートまたはトランジスタ論理、ディスクリートハードウェアコンポーネント、または本明細書において説明された機能を達成するように設計されたこれらのものの任意の組み合わせによって実装されてもよいし、または行なわれてもよい。汎用目的プロセッサは、マイクロプロセッサであってもよいが、代替的に、同プロセッサは、任意のプロセッサ、コントローラ、マイクロコントローラまたは状態機械であってもよい。プロセッサはまた、計算デバイスの組み合わせとして、例えば、DSPおよびマイクロプロセッサの組み合わせ、複数のマイクロプロセッサ、DSPコアと協同する1つまたはそれ以上のマイクロプロセッサ、または任意のその他の構成として実装されてよい。
【００６４】
本明細書において開示された実施形態に関連して説明された方法、プロセスまたはアルゴリズムのステップは、ハードウェア、プロセッサによって実行されるソフトウェアモジュール、または両者の組み合わせにおいて、直接具体化されてもよい。方法またはプロセスにおける様々なステップまたは行為は、示された順に行なわれてもよいし、または別の順に行なわれてもよい。さらに、１つまたはそれ以上のプロセスまたは方法のステップが省略されてもよい。または、１つまたはそれ以上のプロセスまたは方法のステップが本件方法およびプロセスに追加されてもよい。追加的なステップ、ブロックまたはアクションは、本方法およびプロセスの始め、終わり、または途中に存在するエレメントに加えられてもよい。
【００６５】
開示された実施形態における上記記載は、当業者をして、本開示の製造又は利用を可能とするために提供される。これら実施形態への様々な変形例もまた、当業者には明らかであり、本明細書で定義された一般原理は、本開示の精神又は範囲から逸脱することなく他の実施形態にも適用されうる。従って本開示は、本明細書に示された実施形態に限定することは意図されておらず、本明細書に開示された原理及び新規特徴と整合が取れた最も広い範囲と一致するように意図されている。
【誤訳訂正２】
【訂正対象書類名】特許請求の範囲
【訂正対象項目名】全文
【訂正方法】変更
【訂正の内容】
【特許請求の範囲】
【請求項１】
モバイル受信機の地理的ロケーションを判定することと、
前記地理的ロケーションに基づいて少なくとも１つの候補周波数(candidate frequency)を判定するためにデータベースにアクセスすることと、
前記少なくとも１つの候補周波数から選択された望ましい周波数で変調された情報を提供することと
を含む、出力周波数を判定する方法。
【請求項２】
前記少なくとも１つの候補周波数に基づいて出力周波数を入力するようにプロンプトを表示してユーザに指示することと、
前記望ましい周波数に対応するユーザ入力を受信することと
をさらに含む請求項１の方法。
【請求項３】
前記少なくとも１つの候補周波数を順位付けすること(ranking)と、
前記順位付けすることに基づいて、利用可能な出力周波数のリストを表示することと
をさらに含む請求項１の方法。
【請求項４】
前記少なくとも１つの候補周波数を順位付けすることは、
割り付けられた周波数への前記少なくとも１つの候補周波数のそれぞれのスペクトルの距離を判定することを含む請求項３の方法。
【請求項５】
前記少なくとも１つの候補周波数を順位付けすることは、
地理的な宛先への経路を判定することと、
前記経路から選択された少なくとも１つの追加の地理的ロケーションに基づいて順位を判定することと
を含む請求項３の方法。
【請求項６】
前記モバイル受信機の更新された地理的ロケーションを判定することと、
前記更新された地理的ロケーションに基づいて候補周波数の更新されたリストを判定することと
をさらに含む請求項１の方法。
【請求項７】
前記モバイル受信機の前記地理的ロケーションを判定することは、
複数の衛星測位システム信号を受信することと、
前記衛星測位システム信号に基づいて前記地理的ロケーションを判定することと
をさらに含む請求項１の方法。
【請求項８】
前記衛星測位システム信号は、全地球測位システム衛星ビヒクル(vehicle)信号を含む請求項７の方法。
【請求項９】
前記データベースへアクセスすることは、地理的エリアへＦＭ帯域周波数割り付けを関連づけるデータベースにアクセスすることを含む請求項１の方法。
【請求項１０】
前記データベースへアクセスすることは、地理的エリアへ利用可能なＦＭ帯域周波数を関連づけるデータベースにアクセスすることを含む請求項１の方法。
【請求項１１】
前記望ましい周波数で変調された情報を提供することは、
前記望ましい周波数に発振器を合わせることと、
望ましい周波数でオーディオ信号を周波数変調して、周波数変調されたラジオ周波数（ＲＦ）信号を生成することと
を含む請求項１の方法。
【請求項１２】
アンテナポートへ前記周波数変調されたＲＦ信号を連結することをさらに含む請求項１１の方法。
【請求項１３】
地理的な宛先に関する情報を受信することと、
受信された全地球測位システム（ＧＰＳ）衛星ビヒクル信号に少なくとも部分的に基づいてパーソナルナビゲーションデバイスの地理的ロケーションを判定することと、
前記地理的ロケーションから前記地理的宛先への経路を判定することと、
前記地理的ロケーションに基づいて少なくとも１つの候補ラジオ周波数を判定することと、
前記少なくとも１つの候補ラジオ周波数に基づいて出力ＲＦ周波数のユーザ選択を受信することと、
前記地理的ロケーションおよび前記経路に基づいてオーディオ信号を生成することと、
前記出力ＲＦ周波数で前記オーディオ信号を周波数変調して、周波数変調された出力ＲＦ周波数を生成することと、
前記周波数変調された出力ＲＦ周波数を出力することと
を含む、出力周波数を判定する方法。
【請求項１４】
前記パーソナルナビゲーションデバイスの更新された地理的ロケーションを判定することと、
前記更新された地理的ロケーションに基づいて候補周波数の更新されたリストを判定することと
をさらに含む請求項１３の方法。
【請求項１５】
前記ユーザ選択に基づいて前記出力ＲＦ周波数へプログラマブル(programmable)周波数発振器を合わせることをさらに含む請求項１３の方法。
【請求項１６】
更新判定基準(update criteria)が満たされるかどうかを判定することと、
前記更新判定基準が満たされる場合に前記候補周波数の更新されたリストの少なくとも一部分を表示することと、
更新された出力ＲＦ周波数を選択するようにプロンプトを表示してユーザに指示することと
をさらに含む請求項１４の方法。
【請求項１７】
前記少なくとも１つの候補周波数を順位付けすることと、
前記順位付けすることに基づいて少なくとも１つの利用可能な周波数を表示することと
をさらに含む請求項１３の方法。
【請求項１８】
少なくとも１つの候補ラジオ周波数を判定することは、許可されたＦＭラジオ帯域中の少なくとも１つの候補周波数を判定することを含む請求項１３の方法。
【請求項１９】
前記オーディオ信号を生成することは、オーディオナビゲーション(audio navigation)命令を生成することを含む請求項１３の方法。
【請求項２０】
前記周波数変調された出力ＲＦ周波数を出力することは、アンテナポートへ前記周波数変調された出力ＲＦ周波数を連結することを含む請求項１３の方法。
【請求項２１】
少なくとも１つの利用可能な出力ＲＦ周波数を自動的に判定するように構成される装置であって、
複数の衛星測位信号を受信し、前記装置の地理的ロケーションを判定するように構成される衛星測位受信機と、
地理的エリアへ出力周波数を関連づける情報を格納するように構成される放送データベースと、
前記放送データベースにアクセスし、前記地理的ロケーションに基づいて少なくとも１つの候補周波数を判定するように構成されるプロセッサと、
前記少なくとも１つの候補周波数から選択された出力周波数で情報信号を変調して、変調された出力周波数を生成するように構成される変調器と、
前記変調された出力周波数を送信するように構成される送信機と
を含む装置。
【請求項２２】
前記候補周波数の少なくとも１つのサブセットを識別する情報を表示するように構成されるディスプレイをさらに含む請求項２１の装置。
【請求項２３】
前記出力周波数に対応するユーザ選択およびユーザ宛先を受信するように構成されるユーザインタフェースをさらに含む請求項２１の装置。
【請求項２４】
地図データベースをさらに含み、
前記プロセッサは、前記地理的ロケーションおよび前記ユーザ宛先に基づいて経路を判定するようにさらに構成される請求項２３の装置。
【請求項２５】
前記地理的ロケーションに基づいてオーディオ情報を生成するように構成されるオーディオシンセサイザをさらに含み、
前記変調器は、前記出力周波数で前記オーディオ情報を周波数変調するようにさらに構成される請求項２１の装置。
【請求項２６】
前記放送データベースは、許可されたＦＭ帯域における放送割り当てを地理的エリアへ関連付けるデータを格納するように構成される請求項２１の装置。
【請求項２７】
前記放送データベースは、許可されたＦＭ帯域における割り当てられていない周波数を地理的エリアへ関連付けるデータを格納するように構成される請求項２１の装置。
【請求項２８】
前記変調器は、前記出力周波数でオーディオ情報を周波数変調するように構成される請求項２１の装置。
【請求項２９】
前記衛星測位受信機は、更新された地理的ロケーションを判定するように構成され、前記プロセッサは、前記放送データベースにアクセスし、前記更新された地理的ロケーションに基づいて少なくとも１つの更新された候補周波数を判定するように構成され、
前記ディスプレイは、前記少なくとも１つの更新された候補周波数に基づいて更新された出力周波数を入力するようにプロンプトを表示してユーザに指示するように構成される請求項２１の装置。
【請求項３０】
地理的な宛先に関する情報を受信する手段と、
受信された全地球測位システム（ＧＰＳ）衛星ビヒクル信号に少なくとも部分的に基づいてパーソナルナビゲーションデバイスの地理的ロケーションを判定する手段と、
前記地理的ロケーションから前記地理的な宛先への経路を判定する手段と
前記地理的ロケーションに基づいて少なくとも１つの候補ラジオ周波数を判定する手段と、
前記少なくとも１つの候補ラジオ周波数に基づいて出力ＲＦ周波数のユーザ選択を受信する手段と、
前記地理的ロケーションおよび前記経路に基づいてオーディオ信号を生成する手段と、
前記出力ＲＦ周波数で前記オーディオ信号を周波数変調して、周波数変調された出力ＲＦ周波数を生成する手段と、
前記周波数変調された出力ＲＦ周波数を出力する手段と
を含む、少なくとも１つの利用可能な出力ＲＦ周波数を自動的に判定するように構成される装置。
【請求項３１】
地理的な宛先に関する情報を受信することと、
受信された全地球測位システム(GPS)衛星ビヒクル信号に少なくとも部分的に基づいてパーソナルナビゲーションデバイスの地理的ロケーションを判定することと、
前記地理的ロケーションから前記地理的な宛先への経路を判定することと、
前記地理的ロケーションに基づいて少なくとも１つの候補ラジオ周波数を判定することと、
前記少なくとも１つの候補ラジオ周波数に基づいて出力ＲＦ周波数のユーザ選択を受信することと、
前記地理的ロケーションおよび前記経路に基づいてオーディオ信号を生成することと、
前記出力ＲＦ周波数で前記オーディオ信号を周波数変調して、周波数変調された出力ＲＦ周波数を生成するように変調器を制御することと、
前記周波数変調された出力ＲＦ周波数を出力するように構成される送信機を制御することと
を実行するためのコンピュータ実行命令でコード化されたコンピュータ読取可能な媒体。
【誤訳訂正３】
【訂正対象書類名】図面
【訂正対象項目名】図２
【訂正方法】変更
【訂正の内容】
【図２】
2011524688.tif 000001
【誤訳訂正４】
【訂正対象書類名】図面
【訂正対象項目名】図３
【訂正方法】変更
【訂正の内容】
【図３】
2011524688.tif 000002